【事件の表示】
　特願２００４−２７３８０６「電子機器」拒絶査定不服審判事件〔平成１８年　４月　６日出願公開、特開２００６−　９３８６３〕について、次のとおり審決する。
【結　論】
　本件審判の請求は、成り立たない。
【理　由】
１．手続の経緯と本願発明
　本件出願は、平成１６年９月２１日の出願であって、平成２１年４月７日付け拒絶理由通知に対して同年６月１１日付けで意見書と手続補正書が提出され、同年１２月３日付け最後の拒絶理由通知に対して、平成２２年２月４日付けで意見書が提出されたが、同年５月１４日付けで拒絶査定がなされ、これを不服として同年８月１０日付けで審判請求がなされるとともに同日付けで手続補正書が提出されたものであって、その請求項１に係る発明（以下、「本願発明」という。）は、平成２２年８月１０日付け手続補正書の特許請求の範囲の請求項１に記載された以下のとおりのものと認める。
　
「文字情報及び画像データを記憶する記憶手段と、
　文字情報及び画像データを表示することができる表示手段と、
　前記記憶手段に第１の画像データが記憶され、この第１の画像データの表示領域の一部を第２の画像データとして抽出すると共に、この第２の画像データが、前記第１の画像データとは異なる別個の画像データとして記憶され、この第２の画像データに対応する文字情報を入力する操作が行なわれた場合に、この第２の画像データとこれに対応する文字情報を互いに関連付けて前記記憶手段に記憶させるよう制御する制御手段と
　を備えることを特徴とする電子機器。」
　
２．引用発明
　原査定の拒絶の理由に引用された特開２００１−２５７７９０号公報（以下、「引用例」という。)には、「画像通信装置および画像通信方法」に関し、図面とともに以下の事項が記載されている。
　
ア．「【０００８】
【発明の実施の形態および実施例】［第１の実施例］図１は、本発明の第１の実施例であるファクシミリ装置ＦＳ１の構成を示すブロック図である。
【０００９】ファクシミリ装置ＦＳ１は、ファクシミリ装置ＦＳ１の全体を制御するＣＰＵ１０１と、ＣＰＵ１０１の制御プログラム等を格納するＲＯＭ１０２と、データを一時的に格納するＲＡＭ１０３とを有する。
【００１０】また、ファクシミリ装置ＦＳ１は、ユーザがファクシミリ装置ＦＳ１を操作するための操作パネル１０４と、送信する原稿の画像を読み取り、信号化する読取部１０５と、他の通信装置と通信し、画像データを送受信する通信部１０６と、読取部１０５または通信部１０６が出力した画像データを格納する画像メモリ１０７と、画像データに応じた画像を記録紙に出力する記録部１０８とを有する。
【００１１】さらに、ファクシミリ装置ＦＳ１は、画像データを符号化／復号化する符号化／復号化部１０９と、ワンタッチダイヤルや短縮ダイヤル等のダイヤル登録情報を管理する登録管理部１１０とを有する。」（第３頁第３欄）
　
イ．「【００１２】図２は、上記実施例であるファクシミリ装置ＦＳ１における操作パネル１０４を示す図である。
【００１３】操作パネル１０４は、液晶表示部２１と、起動キーであるスタートキー２２と、通信や登録操作を中断するストップキー２３と、送信する相手先の電話番号を入力するダイヤルキー群２４と、それぞれのキー毎に相手先を割り当て、ワンボタンで送信するワンタッチキー・短縮キー群２５とを有する。
【００１４】また、操作パネル１０４は、相手先電話番号等をワンタッチキーに対応させ、登録する登録キー２６と、相手先特定画像登録モードまたは相手先特定画像表示モードと、通常モードとの切り替えを行うアイコンキー２７と、相手先特定画像表示モードにおいて送信したい相手先を選択するセットキー２８と、矢印キー２９とを有する。
【００１５】なお、相手先特定画像登録モードは、相手先特定画像を登録するモードであり、相手先特定画像表示モードは、送信すべき相手先を選択するために、登録されている相手先特定画像と、この相手先特定画像に対応するワンタッチキーの番号とを液晶表示部２１に複数表示するモードである。また、ファクシミリ装置ＦＳ１において通常モードが設定されていれば、通常のファクシミリ待機状態が設定されている。また、相手先特定画像は、ユーザが相手先を特定できる画像であり、相手先の特徴と関連する画像を有する画像である。
【００１６】なお、操作パネル１０４は、液晶表示部２１に画像を表示するために、画像データを格納するＶＲＡＭを有する。」（第３頁第３〜４欄）
　
ウ．「【００１８】図３は、上記実施例であるファクシミリ装置ＦＳ１における液晶表示部２１の表示例を示す図である。
【００１９】まず、ファクシミリ装置ＦＳ１が画像データを送信する場合に、送信する画像データに応じた画像のうちの一部の画像である相手先特定画像と、相手先電話番号とを関連付けて登録する。
【００２０】最初に、送信すべき原稿を、ユーザが読取部１０５にセットし、ダイヤルキー群２４を使用して送信先の電話番号をユーザが入力すると、図３（１）に示すように、液晶表示部２１に、入力した電話番号が表示される。
【００２１】液晶表示部２１に表示されている電話番号を相手先電話番号として登録したければ、ユーザがアイコンキー２７を押下し、相手先特定画像を登録する相手先特定画像登録モードを設定する。相手先特定画像登録モードを設定すると、読取部１０５が送信原稿の読み取り動作を開始する。読取部１０５が読み取った読取画像データを、符号化／復号化部１０９が符号化処理し、符号化処理された画像データが画像メモリ１０７に格納される。画像データが画像メモリ１０７に格納される動作と同時に、操作パネル１０４内の図示しないＶＲＡＭに画像データの一部が格納され、図３（２）に示すように、ＶＲＡＭに格納された画像データに応じた画像と、カーソルである「＋」とが液晶表示部２１に表示される。」（第３頁第４欄〜第４頁第５欄）
　
エ．「【００２５】液晶表示部２１に表示されているカーソル「＋」を、矢印キー２９によってユーザが操作し、相手先特定画像の範囲を示す長方形の左上に対応する始点と、右下に対応する終点とを指定し、図３（３）に示すように、相手先特定画像の範囲を示す長方形を表示させ、登録する相手先特定画像の範囲を指定する。液晶表示部２１に表示されている点線によって範囲指定されている画像と、相手先電話番号とを対応させて登録したければ、登録キー２６をユーザが押下する。この押下によって、範囲指定されている画像である相手先特定画像と、相手先電話番号とを対応させ、ＲＡＭ１０３における登録テーブルに登録される。」（第４頁第５欄）
　
　上記引用例の記載及び図面ならびにこの分野における技術常識を考慮すると、
ａ．上記引用例の画像通信装置であるファクシミリ装置ＦＳ１は、ＲＡＭ１０３と、画像メモリ１０７と、液晶表示部２１と、ＣＰＵ１０１とを備えており（摘記事項アの【０００９】、摘記事項イの【００１２】）、
ｂ．上記ＲＡＭ１０３は、相手先特定画像と、相手先電話番号とを対応させ、登録テーブルとして登録し（摘記事項エの【００２５】）、
ｃ．上記液晶表示部２１は、上記相手先特定画像及び相手先電話番号を表示することができ（【図３】）、
ｄ．上記画像メモリ１０７には、送信すべき画像データが格納され（摘記事項ウの【００１９】−【００２１】）、また、該「格納され」が「記憶され」と同義であることは自明であり、
ｅ．上記画像データの一部が上記液晶表示部２１に表示され（摘記事項ウの【００２１】）、
ｆ．上記表示された画像データのうち、長方形の点線によって相手先特定画像を範囲指定し（摘記事項エの【００２５】）、
ｇ．上記相手先特定画像は、ユーザが入力した送信先の電話番号（摘記事項ウの【００２０】）と対応させ、上記ＲＡＭ１０３における登録テーブルに登録されるが（摘記事項エの【００２５】）、このとき、相手先特定画像は画像メモリ１０７に記憶された送信すべき画像データとは別個の画像データとしてＲＡＭ１０３に記憶されることは明らかであり、また、送信先の電話番号が上記ｂ，ｃに記した相手先電話番号を意味することは自明であり、
ｈ．上記ＣＰＵ１０１は、ファクシミリ装置ＦＳ１全体を制御するものであって（摘記事項アの【０００９】）、上記ｄ〜ｇに記した各動作が当該ＣＰＵ１０１によって制御されることは技術常識であり、
　
　以上を総合すると、上記引用例には、以下の発明（以下、「引用発明」という。）が開示されている。
　
「相手先電話番号及び相手先特定画像を記憶するＲＡＭ１０３と、
　相手先電話番号及び相手先特定画像を表示することができる液晶表示部２１と、
　画像メモリ１０７に送信すべき画像データが記憶され、この送信すべき画像データの表示領域の一部を相手先特定画像として範囲指定すると共に、この相手先特定画像が、前記送信すべき画像データとは異なる別個の画像データとして記憶され、この相手先特定画像に対応する相手先電話番号をユーザが入力し、この相手先特定画像と相手先電話番号を互いに関連付けて前記ＲＡＭ１０３に記憶させるよう制御するＣＰＵ１０１と
　を備えるファクシミリ装置。」
　
３．対比
　本願発明と引用発明とを対比するに、
・引用発明の「相手先電話番号」は、【図３】に記載されたように数字列であって、本願発明の「文字情報」に含まれ、
・引用発明の「相手先特定画像」がデータであることは自明であって、本願発明の「画像データ」に含まれ、
・引用発明の「ＲＡＭ１０３」、「液晶表示部２１」、「ＣＰＵ１０１」は、明らかにそれぞれ本願発明の「記憶装置」、「表示手段」、「制御手段」に含まれ、
・引用発明の「画像メモリ１０７」は上記「ＲＡＭ１０３」とは別個の記憶手段であるから、これを「他の記憶用の手段」ということができ、また、本願発明の「前記記憶手段」が「記憶用の手段」であることは言うまでもないから、両者は、「記憶用の手段」である点で共通し、
・引用発明の「送信すべき画像データ」と「相手先特定画像」は、別個の記憶手段に記憶される別個の画像データであって、それぞれ、本願発明の「第１の画像データ」、「第２の画像データ」に相当し、
・引用発明の「相手先特定画像として範囲指定する」とは、該「相手先特定画像」が「別個の画像データとして記憶され」ることに鑑みれば、本願発明の「該２の画像データとして抽出する」と実質的に同義であり、
・引用発明の「ユーザが入力し」と本願発明の「入力する操作が行なわれた場合に」は実質的に同義であり、
・引用発明の「ファクシミリ装置」が電子機器の一種であることは自明であって、本願発明の「電子機器」に含まれ、
　
　以上を総合すると、結局、両者は以下の点で一致ないし相違している。
　
（一致点）
「文字情報及び画像データを記憶する記憶手段と、
　文字情報及び画像データを表示することができる表示手段と、
　記憶用の手段に第１の画像データが記憶され、この第１の画像データの表示領域の一部を第２の画像データとして抽出すると共に、この第２の画像データが、前記第１の画像データとは異なる別個の画像データとして記憶され、この第２の画像データに対応する文字情報を入力する操作が行なわれた場合に、この第２の画像データとこれに対応する文字情報を互いに関連付けて前記記憶手段に記憶させるよう制御する制御手段と
　を備えることを特徴とする電子機器。」
　
（相違点）
　「記憶用の手段」が、
　本願発明では、「前記記憶手段」すなわち「文字情報及び画像データを記憶する記憶手段」であるのに対し、
　引用発明では、「他の記憶用の手段」すなわち「画像メモリ１０７」である点。
　
４．検討
　上記相違点につき、以下に検討する。
　
　ファクシミリ装置において、電話帳データなどが記憶されるＲＡＭを、送受信データのバッファとしても使用することは、例えば、特開平２−２２８８６０号公報（第２頁右下欄第８〜１１行）、特開平１１−１２７３４６号公報（第３頁段落【００１２】）、特開２００１−１０３２６３号公報（第４頁段落【００３１】）等に記載されているように周知技術に過ぎない。
　とすると、引用発明のファクシミリ装置において、送受信データである「送信すべき画像データ」が記憶される記憶用の手段を、「画像メモリ１０７」に替えて「相手先電話番号及び相手先特定画像を記憶するＲＡＭ１０３」とすることにより、本願発明のように、「第１の画像データ」が記憶される「記憶用の手段」を、「前記記憶手段」すなわち「文字情報及び画像データを記憶する記憶手段」とすることは、上記周知技術に基づいて当業者が容易になし得たものである。
　
　そして、本願発明が奏する効果も引用発明および周知技術から容易に予測出来る範囲内のものである。
　
５．むすび
　以上のとおり、本願発明は、上記引用例に記載された発明および周知技術に基づいて、当業者が容易に発明をすることができたものと認められるから、特許法第２９条第２項の規定により特許を受けることができない。
　
　よって、結論のとおり審決する。